(57)【特許請求の範囲】
【請求項１】
キャビネットと、
このキャビネットの前面を開閉し得るように設けられ、裏側に、コインメックやビルバリデータ部を備え、表側に、外部操作に基いてキャビネットに対する閉塞状態をロック及びロック解除するためのハンドル、及び、このハンドルがロック状態にあるときに該ハンドルの操作を阻止すべく鍵により施錠されるハンドル用錠を備えたメイン扉と、
このメイン扉において、少なくとも前記コインメック、ビルバリデータ部、前記ハンドル及びハンドル用錠を含む所定領域を該メイン扉表側から覆うように取付けられた金属製の防盗ガードと、
この防盗ガードに前記ハンドル及びハンドル用錠部分を開閉し得るように設けられた金属製の小扉と、
この小扉の閉塞状態をロックするロック機構と
を備えてなる自動販売機。
【請求項２】
小扉は、防盗ガードに回動可能に設けられ、ロック機構は、小扉用錠を備え、この小扉用錠によりロック及びロック解除されるようになっていることを特徴とする請求項１記載の自動販売機。
【請求項３】
小扉用錠は、ハンドル用錠と共用される鍵により施錠及び解錠されるようになっていることを特徴とする請求項２記載の自動販売機。
【請求項４】
小扉用錠には鍵挿入孔の外側部分に回転可能な錠防護板が設けられていることを特徴とする請求項２記載の自動販売機。
【請求項５】
防盗ガードには、ハンドル及びハンドル用錠部分を囲繞するように凸条部が形成されていることを特徴とする請求項１記載の自動販売機。
【請求項６】
メイン扉は、キャビネットに回動可能に設けられ、且つ、その反回動支点側にキャビネット側面側に回り込むメイン扉ガードを有し、防盗ガードには、このメイン扉ガードを覆う側部ガード部が設けられていることを特徴とする請求項１記載の自動販売機。
【請求項７】
小扉は、キャビネット側まで延出するように形成され、ロック機構はこの延出端部及びキャビネットに跨がって設けられていることを特徴とする請求項１または２記載の自動販売機。
【請求項８】
ロック機構は、小扉側に被ロック部材を備えると共に、キャビネット側に、該被ロック部材を施錠及び解錠する小扉用錠を備えた構成であり、被ロック部材は、位置調節可能に設けられていることを特徴とする請求項７記載の自動販売機。
【請求項９】
小扉は、防盗ガードにヒンジにより回動可能に設けられ、この小扉のヒンジ部分には、このヒンジを保護し且つ小扉開放時に該小扉が防盗ガードに当接することを阻止するヒンジガードが取付けられていることを特徴とする請求項１記載の自動販売機。
【請求項１０】
小扉は、屈曲可能な構成となっていることを特徴とする請求項７記載の自動販売機。
【発明の詳細な説明】
【０００１】
【発明の属する技術分野】
本発明は、盗難防止構造に改良を施した自動販売機に関する。
【０００２】
【発明が解決しようとする課題】
周知のように、自動販売機は、商品を収容するコラムを備えたキャビネットの前面に、メイン扉を開閉可能に備えており、このメイン扉には、表側に商品表示部、コイン投入口や紙幣挿入口、コイン返却口、商品選択スイッチ及び商品取り出し口等を備えると共に、メイン扉を閉塞状態にロックし且つロック解除するためのハンドルを備えている。さらに、このハンドルには、自動販売機の業者以外に操作されることがないように、ハンドル用錠が設けられている。
さらにメイン扉の裏側には、コインメックやビルバリデータ部が設けられている。
【０００３】
ところで、従来より、自動販売機に対するいたずら防止や、内部貨幣の盗難防止のために、種々の防盗手段を講じている。例えばハンドル用錠に、ドリル等の刃が絶たないような硬質部材を用いたり、コインメック及びビルバリデータ部をガードするようにメイン扉を二重構造としたりするといった防盗対策が講じされている。
【０００４】
しかしながら、自動販売機に対するいたずら行為や破損行為がなかなか後を絶たないというのが実情である。この場合、いたずら行為や破損行為を受ける都度補修を行なう必要があり、実に大変であった。
【０００５】
本発明は上述の事情に鑑みてなされたものであり、その目的は、自動販売機に対するいたずら行為や破損行為といった不正行為を未然に防止することに寄与できると共に、それらの不正行為がなされたとしても、破損及び盗難被害を少なくできる自動販売機を提供するにある。
【０００６】
【課題を解決するための手段】
本発明は、次の点に着目してなされている。すなわち、従来からの防盗対策の場合、外観上、防盗手段が第三者に判りにくく、防盗対策を施していないものとの勘違いさせることがあった。従って、防盗対策を強くアピールできれば、不正行為を受ける回数の削減につながる。
【０００７】
請求項１の発明は、キャビネットと、
このキャビネットの前面を開閉し得るように設けられ、裏側に、コインメックやビルバリデータ部を備え、表側に、外部操作に基いてキャビネットに対する閉塞状態をロック及びロック解除するためのハンドル、及び、このハンドルがロック状態にあるときに該ハンドルの操作を阻止すべく鍵により施錠されるハンドル用錠を備えたメイン扉と、
このメイン扉において、少なくとも前記コインメック、ビルバリデータ部、前記ハンドル及びハンドル用錠を含む所定領域を該メイン扉表側から覆うように取付けられた金属製の防盗ガードと、
この防盗ガードに前記ハンドル及びハンドル用錠部分を開閉し得るように設けられた金属製の小扉と、
この小扉の閉塞状態をロックするロック機構と
を備えて構成される。
【０００８】
この構成においては、メイン扉において、少なくとも前記コインメック、ビルバリデータ部、前記ハンドル及びハンドル用錠を含む所定領域を該メイン扉表側から覆うように金属製の防盗ガードを設けたから、一目して大掛かりな防盗手段が講じられていることを第三者に認識させることができるようになる。これにて、不正行為を受ける回数の削減につながる。また、この防盗ガードにより、上記コインメック、ビルバリデータ部、ハンドル及びハンドル用錠を実際に保護できるようになり、破損及び盗難被害を少なくできるものである。さらに、上記構成においては、この防盗ガードにハンドル及びハンドル用錠部分を開閉し得るように金属製の小扉を設けたから、メイン扉を開閉する場合には、この小扉を開放することにより防盗ガードを取り外すことなく、ハンドル操作を行なうことができ、便利である。
【０００９】
請求項２の発明は、小扉が、防盗ガードに回動可能に設けられ、ロック機構は、小扉用錠を備え、この小扉用錠によりロック及びロック解除されるようになっているところに特徴を有する。
この構成においては、小扉のロック解除を小扉用錠に行なうから、この小扉を第三者に容易に開放されないようにできて防盗性を高め得る。
【００１０】
請求項３の発明は、小扉用錠が、ハンドル用錠と共用される鍵により施錠及び解錠されるようになっているところに特徴を有する。
この構成においては、メイン扉のハンドル用錠と小扉用錠とが共通の鍵により施錠・解錠できるから便利である。
【００１１】
請求項４の発明は、小扉用錠には鍵挿入側の部分に回転可能な錠防護板が設けられているところに特徴を有する。
一般的に自動販売機において、錠部分に対する不正行為の一つとしては、錠をその鍵挿入側よりドリルで孔明けし、該錠を破損させることが挙げられる。しかるに上記構成においては、小扉用錠の鍵挿入側の部分に回転可能な錠防護板を設けているから、不正行為でドリルを押し付けたとしたも、錠防護板を回転させるだけで、錠が切削されることはなく、不正行為による小扉用錠の破損を防止できるようになる。
【００１２】
請求項５の発明は、防盗ガードに、ハンドル及びハンドル用錠部分を囲繞するように凸条部を形成したところに特徴を有する。
この構成においては、ハンドル及びハンドル用錠部分を、不正行為から一層確実に防止できるようになる。すなわち、ハンドル及びハンドル用錠部分に対する不正行為としては、防盗ガードと小扉との隙間にドライバー等の工具を差し込んで小扉をこじ開けることが考えられるが、上記構成においては、凸条部を設けたことにより、上記ドライバー等の工具が深く差し込まれることを防止でき、もって、小扉がこじ開けられることを有効に防止できるようになる。
【００１３】
請求項６の発明は、メイン扉が、キャビネットに回動可能に設けられ、且つ、その反回動支点側にキャビネット側面側に回り込むメイン扉ガードを有し、防盗ガードには、このメイン扉ガードを覆う側部ガード部が設けられているところに特徴を有する。
自動販売機における不正行為の一つとして、メイン扉の反回動支点側の側部とキャビネット側部との合わせ部を、バールのような道具を用いてこじ開ける行為がある。これを防止すべく、メイン扉の反回動支点側にキャビネット側面側に回り込むメイン扉ガードを設けて、合わせ部にバールのような道具が入らないようにするものがある。しかし、不正行為の激しさが増加する最近の事情を考慮すれば、さらに強固な不正行為防止策が要望される。この点上記構成においては、防盗ガードに、このメイン扉ガードを覆う側部ガード部が設けたから、さらに堅牢な構造となり、不正行為の防止をさらに確実となし得るようになる。
【００１４】
請求項７の発明は、小扉が、キャビネット側まで延出するように形成され、ロック機構はこの延出端部及びキャビネットに跨がって設けられているところに特徴を有する。
この構成においては、メイン扉の不正開放を二重に防止できるようになる。すなわち、メイン扉はハンドル及びハンドル錠により不正開放防止されているが、上記構成においては、防盗ガードに設けられた小扉が、キャビネットに設けられたロック機構によりロックされるから、この小扉を開放しない限りはメイン扉を開放できないようになり、総じて、このロック機構と、ハンドル錠とにより、メイン扉の不正開放を二重に防止できるものである。
【００１５】
請求項８の発明は、ロック機構が、小扉側に被ロック部材を備えると共に、キャビネット側に、該被ロック部材を施錠及び解錠する小扉用錠を備えた構成であり、被ロック部材が、位置調節可能に設けられているところに特徴を有する。◎この構成においては、被ロック部材を小扉用錠に対して位置調節ができるようになり、施錠及び解錠を良好に行ない得るようになる。すなわち、被ロック部材が小扉側つまりメイン扉側に存在し、小扉用錠がキャビネットに存在する構成においては、キャビネットに対するメイン扉の取付け関係に誤差があると、メイン扉側の被ロック部材とキャビネット側の小扉用錠との位置関係にもずれが発生する。この場合、キャビネット及びメイン扉はその大きさが大きいから、取付け関係に若干の誤差があってもさほど支障はないが、被ロック部材及び小扉用錠は小さいから、その誤差は無視できないものであり、被ロック部材に対する小扉用錠の施錠が困難となることもある。しかるに上記構成では、被ロック部材を小扉用錠に対して位置調節ができるから、キャビネット及びメイン扉の取付け関係に若干の誤差があっても、施錠及び解錠を良好に行ない得るようになる。
【００１６】
請求項９の発明は、小扉が、防盗ガードにヒンジにより回動可能に設けられ、この小扉のヒンジ部分には、このヒンジを保護し且つ小扉開放時に該小扉が防盗ガードに当接することを阻止するヒンジガードが取付けられているところに特徴を有する。
小扉が不正にこじ開けられる場合には、小扉のヒンジが破壊されることが考えられる。しかして上記構成においては、小扉のヒンジ部分には、このヒンジを保護するヒンジガードが設けられているから、小扉のヒンジが破壊されることを有効に防止でき、しかもこのヒンジガードは小扉開放時に該小扉が防盗ガードに当接することを阻止するから、この小扉が防盗ガードに当たって傷付くようなこともない。
【００１７】
請求項１０の発明は、小扉が、屈曲可能な構成となっているところに特徴を有する。
この構成においては、小扉の開閉の途中で屈曲状態とすれば、小扉の回動スペースを小さくでき、自動販売機自体の設置スペースの縮減に寄与できるようになる。
【００１８】
【発明の実施の形態】
以下、本発明の第１の実施例につき図１ないし図８を参照しながら説明する。まず、防盗ガードを取り外した状態を示す図３において、キャビネット１の内部には図示しないが商品（飲料缶やビン等）が収容されるコラムが設けられていると共にこのコラム前面側に内扉が設けられている。このキャビネット１の前面には、このキャビネット１の前面を開閉し得るようにメイン扉２が設けられている。この場合、メイン扉２は、その左側の部分がヒンジ３により枢支されている。
【００１９】
また、このメイン扉２の表側には、商品表示部４、パネル部５、商品選択スイッチ６、コイン返却口７、商品取り出し口８、コイン投入口９、返却レバー１０、紙幣挿入口１１等が設けられている。さらに、このメイン扉２の表側には、該メイン扉２を閉塞状態にロックし且つロック解除するためのハンドル１２が設けられている。さらに、このハンドル１２には、これが自動販売機の業者以外に操作されることがないように、ハンドル用錠１３が設けられている。このハンドル用錠１３が鍵１４（図４参照）により施錠及び解錠されるものである。
【００２０】
しかして、ハンドル用錠１３が鍵１４によって解錠されると、ハンドル１２が図示しないばねにより図４に示すように前面側へ突出し、例えば矢印Ａ方向へ操作可能となり、その方向への操作によりメイン扉２がロック解除されて開放可能となる。また、開放されたメイン扉２を閉塞すると、ハンドル１２によりその閉塞がロックされ、そしてこのハンドル１２をメイン扉２へ押し込んで施錠すれば、図３の状態の非突出状態に保持されるようになっている。
【００２１】
またメイン扉２の裏側には、図３に示すように、コインメック１５やビルバリデータ部１６が設けられている。上記コインメック１５は、いわゆる金銭収納装置であり、また、ビルバリデータ部１６は、コインの投入情報や釣り銭演算、表示、商品販売指令情報、売上個数情報、売上金情報等を取り扱うもので、マイクロコンピュータや他の制御部を備えた構成である。
【００２２】
また、上記メイン扉２の反回動支点側にはキャビネット１の側面側に回り込むメイン扉ガード２ａが形成されている。このメイン扉ガード２ａは、バールのような道具を用いてこのメイン扉ガード２ａがこじ開ける行為といった不正行為を防止するためのものである。つまり、メイン扉ガード２ａは、メイン扉２の反回動支点側の側部とキャビネット１側部との合わせ部Ｋ部分を覆う構成であり、上記道具がこの合わせ部Ｋに入れられるのを阻止するようになっている。
【００２３】
このメイン扉２には、金属例えば鋼板の厚板からなる防盗ガード１７がボルト１８（これは表側からは外せないようになっている）により取付けられている。この場合この防盗ガード１７は、メイン扉２において前記コインメック１５、ビルバリデータ部１６、ハンドル１２及びハンドル用錠１３を含む所定領域（特には前面の一部から側面にかけての領域）を該メイン扉２表側から覆うように取付けられている。ただし、コイン投入口９及び返却レバー１０に対応する部分には開口部１７ａが、また紙幣挿入口１１に対応する部分には開口部１７ｂが形成されている。さらに、ハンドル１２及びハンドル用錠１３に対応する部分にも前面から側面にかけて開口部１７ｃ（図４参照）が形成されており、この開口部１７ｃの縁部には凸条部１９が形成されている。もって、凸錠部１９によりハンドル１２及びハンドル用錠１３部分を囲繞する構成となっている。
【００２４】
そして、この開口部１７ｃを開閉し得るようにヒンジ２０ａを介して小扉２０が設けられており、もって、小扉２０はハンドル１２及びハンドル用錠１３を開閉し得るように設けられている。この小扉２０周縁部には、図５から理解できるように内方へ向けて突出する突片部２０ｂが一体に形成されている。
【００２５】
上記防盗ガード１７には、上記小扉２０の閉塞状態をロックするためのロック機構２１が設けられている。このロック機構２１は、防盗ガード１７の開口部１７ｃ下縁部に設けた小扉用錠２２と、小扉２０に形成したロック受部２３（図１参照）とから構成されている。
【００２６】
小扉用錠２２は図６ないし図８に示すように、防盗ガード１７に一体に形成された錠ホルダ部２４に錠本体２５を嵌着固定してなり、この錠本体２５は、ロータケース２５ａとキーロータ２５ｂと図示しないタンブラ等を備えてなり、鍵１４が共通に使用可能に構成されている。さらに、このキーロータ２５ｂ前面（小扉用錠２２における鍵１４挿入側の部分）には、錠防護板２６が回転可能に配設されている。上記キーロータ２５ｂの上部には、カム面２５ｃが形成されていると共に、ピン配置孔２５ｄが形成されている。そして、このピン配置孔２５ｄには、ロックピン２７が配設されている。このロックピン２７には、カムピン２９ａが固着されている。このカムピン２７ａは、ロータケース２５ａに形成された縦溝２５ｅに上下移動可能に嵌合されており、もって、ロックピン２７ａは上下移動可能で且つ回り止め状態に設けられている。
【００２７】
しかして、鍵１４を前記錠防護板２６の挿通孔２６ａを通してキーロータ２５ｂ内に挿入すると、タンブラが所定状態に整列してキーロータ２５ｂの回動を許容する。そして、鍵１４が回動操作されると、キーロータ２５ｂが回動されてロックピン２７がカム面２５ｃ及びカムピン２７ａの摺接により矢印Ａ方向（上方向）へ押し上げられて錠ホルダ部２４から上方へ突出して、前記ロック受部２３の係止孔２３ａに嵌入し、もって、小扉２０の閉塞状態をロックするようになっている。
【００２８】
なお、鍵１４を逆方向に回動すると、ロックピン２７が下方へ移動してロック受部２３の係止孔２３ａから抜脱し、もってロック解除を行なうようになっている。
さらに、盗ガード１７には、メイン扉ガード２ａを覆う側部ガード部２８が形成６が設けられている
このような構成の本実施例によれば、メイン扉２において、コインメック１５、ビルバリデータ部１６、ハンドル１２及びハンドル用錠１３を含む領域を該メイン扉２表側から覆うように金属製の防盗ガード１７を設けたから、一目して大掛かりな防盗手段が講じられていることを第三者に認識させることができる。この結果、いたずら行為とか破損行為といった不正行為を受ける回数の削減につながる。また、不正行為を受けたとしても、この防盗ガード１７により、上記コインメック１５、ビルバリデータ部１６、ハンドル１２及びハンドル用錠１３を実際に保護できるようになり、破損及び盗難被害を少なくできる。
【００２９】
さらに、本実施例によれば、この防盗ガード１７にハンドル１２及びハンドル用錠１３部分を開閉し得るように金属製の小扉２０を設けたから、メイン扉２を開閉する場合には、この小扉２０を開放することにより防盗ガード１７を取り外すことなく、ハンドル１２の操作を行ない得、便利である。
さらにまた、小扉２０のロック解除を小扉用錠２２により行なうから、この小扉２０を第三者に容易に開放されないようにできて防盗性を高め得る。
【００３０】
また本実施例によれば、小扉用錠２２が、ハンドル用錠１３と共用される鍵１４により施錠及び解錠されるようになっているから、メイン扉２のハンドル用錠１３と小扉用錠２２とが共通の鍵１４により施錠・解錠でき、便利である。
さらに本実施例によれば、小扉用錠２２に鍵挿入側の部分に回転可能な錠防護板２６を設けたから、不正行為でドリルを小扉用錠２２に押し付けたとしたも、錠防護板２６を回転させるだけで、この小扉用錠２２が切削されることはなく、不正行為による小扉用錠２２の破損を防止できる。
【００３１】
また、防盗ガード１７に、ハンドル１２及びハンドル用錠１３部分を囲繞するように凸条部１９を形成したから、このハンドル１２及びハンドル用錠１３部分を、不正行為から一層確実に防止できる。すなわち、ハンドル１２及びハンドル用錠１３部分に対する不正行為としては、防盗ガード１７と小扉２０との隙間にドライバー等の工具を差し込んで小扉２０をこじ開けることが考えられるが、上記実施例においては、凸条部１９を設けたことにより、上記ドライバー等の工具が深く差し込まれることを防止でき、もって、小扉２０がこじ開けられることを有効に防止できる。
【００３２】
さらにまた、本実施例によれば、防盗ガード１７に、メイン扉ガード２ａを覆う側部ガード部２８を設けたから、不正行為による破損やメイン扉開放をさらに防止できるようになる。すなわち、自動販売機における不正行為の一つとして、メイン扉２の反回動支点側の側部とキャビネット１側部との合わせ部Ｋ（図２参照）を、バールのような道具を用いてこじ開ける行為がある。これを防止すべく、メイン扉２の反回動支点側にキャビネット１側面側に回り込むメイン扉ガード２ａを設けているが、しかし、さらなる不正行為の激しさが増加する最近の事情を考慮すれば、さらに強固な不正行為防止策が要望されている。この点上記実施例によれば、防盗ガード１７に、このメイン扉ガード２ａを覆う側部ガード部２８が設けたから、さらに堅牢な構造となり、不正行為の防止をさらに確実となし得る。
【００３３】
図９ないし図１１は本発明の第２の実施例を示しており、この実施例においては、次の点が第１の実施例と異なる。小扉３１は、蝶番からなるヒンジ３１ａを介して防盗ガード１７に取付けられており、その反回動側の端部は、キャビネット１の側面側まで延出する形状（防盗ガード１７の右側部１７ｄから側部ガード部２８に沿う形状）に形成されている。そして、ロック機構３２は、この小扉３１の延出端部３１ｂに例えば溶接にて固着された被ロック部材３３と、キャビネット１の側面に固着された小扉用錠３４及びロック受部３５とから構成されている。前記被ロック部材３３は、板状をなしていて、やや長孔状をなす孔部３３ａが形成されている。
【００３４】
小扉用錠３４は、図１２に示すように、第１の実施例における小扉用錠２２と同一構成（図６と同一符号を付している）である。またロック受部３５は、この小扉用錠３４の上部に、上記被ロック部材３３の板厚寸法より若干大きめ隙間Ｇを存するようにして例えば溶接にて固着されている。この上部保持部材３５には、小扉用錠３４のロックピン２７と対向するように係止孔３５ａが形成されている。
【００３５】
しかして、小扉３１を閉塞すると、図１２に示すように、被ロック部材３３が上記隙間Ｇに入り込み、この状態で鍵１４（図４参照）をキーロータ２５ｂ内に挿入し、鍵１４を回動操作すると、ロックピン２７が錠ホルダ部２４から上方へ突出して、被ロック部材３３の孔部３３ａとロック受部３５の係止孔３５ａとに嵌入し、もって、小扉３１の閉塞状態をロックするようになっている。さらに、防盗ガード１７には、小扉３１の閉塞状態でこの小扉３１の上側、下側及びヒンジ３１ａ側を覆うように凸条部３６が形成されている。
【００３６】
この第２の実施例によれば、小扉３１を、キャビネット１側まで延出するように形成し、ロック機構３２を、小扉３１の延出端部３１ｂ及びキャビネット１に跨がって設ける構成としたから、メイン扉２の不正開放を二重に防止できるようになる。すなわち、メイン扉２はハンドル１２及びハンドル錠１３により不正開放防止されているが、上記第２の実施例においては、防盗ガード１７に設けられた小扉３１が、ロック機構３２によってキャビネット１にロックされるから、この小扉３１を開放しない限りはメイン扉２を開放できないようになり、総じて、このロック機構３２と、ハンドル錠１３とにより、メイン扉２の不正開放を二重に防止できる。
【００３７】
図１３ないし図１６は本発明の第３の実施例を示しており、この実施例においては、被ロック部材４０を位置調節可能に設けたところが上記第２の実施例と異なる。小扉３１の延出端部３１ｂには、スパナ等が挿入可能な切欠部４１が形成され、この切欠部４１を表側から覆うように金属製のカバー４２が例えば溶接にて固着されている。このカバー４２には、ねじ棒４３が上下方向に例えば溶接にて固着されている。このねじ錠４３には、被ロック部材４０の基端部４０ａに形成した挿通孔部（図示せず）が上下移動可能に嵌合されていると共に、該基端部４０ａを上下から挟むようにナット４４，４４が螺合されている。このナット４４，４４は前記スパナ等の工具により適宜回転されて上下調節され、もって、被ロック部材４０を上下位置調節可能な構成としている。また、この被ロック部材４０は、図１６に矢印で示すように水平方向にも回動調節し得る構成となっている。なお、符号４０ａは孔部を示す。
【００３８】
この第３の実施例によれば、被ロック部材４０を小扉用錠３４に対して位置調節ができるようになり、施錠及び解錠を良好に行ない得るようになる。すなわち、被ロック部材４０が小扉３１側つまりメイン扉２側に存在し、小扉用錠３４がキャビネット１に存在する構成においては、キャビネット１に対するメイン扉２の取付け関係に誤差があると、被ロック部材４０と小扉用錠３４との位置関係にもずれが発生する。この場合、キャビネット１及びメイン扉２はその大きさが大きいから、取付け関係に若干の誤差があってもさほど支障はないが、被ロック部材４０及び小扉用錠３４は小さいから、その誤差は無視できないものであり、被ロック部材４０に対する小扉用錠３４の施錠が困難となることもある。しかるに上記第３の実施例では、被ロック部材４０を小扉用錠３１に対して位置調節ができるから、キャビネット１及びメイン扉２の取付け関係に若干の誤差があっても、施錠及び解錠を良好に行ない得るものである。
【００３９】
図１７及び図１８には本発明の第４の実施例を示しており、この実施例においては、小扉３１のヒンジ３１ａ部分に、ヒンジガード５１を固着した点が第２の実施例と異なる。このヒンジガード５１は、平面形状が図１７に示すように、ほぼＶ字状をなしていて、ヒンジ３１ａを覆うように小扉３１に例えば溶接にて固着されている。そして、このヒンジガード５１は、小扉３１が図１７の二点鎖線でに示すように開放した時に防盗ガード１７に平面的に当接するようになっており、もって、ヒンジガード５１は、ヒンジ３１ａを保護し且つ小扉３１開放時に該小扉３１が防盗ガード１７に当接することを阻止するものである。
【００４０】
ここで小扉３１が不正にこじ開けられる場合には、小扉３１のヒンジ３１ａがハンマ等により破壊されることが考えられる。しかして上記第４の実施例においては、小扉３１のヒンジ３１ａ部分には、このヒンジ３１ａを保護するヒンジガード５１が設けられているから、小扉３１のヒンジ３１ａが破壊されることを有効に防止でき、しかもこのヒンジガード５１は小扉３１開放時に該小扉３１が防盗ガード１７に当接することを阻止するから、この小扉３１が防盗ガード１７に当たって傷付くようなこともない。
【００４１】
図１９は本発明の第５の実施例を示しており、この実施例では、小扉６１が、屈曲可能な構成となっている点が第２の実施例と異なる。この小扉６１は、ヒンジ３１ａに連結された第１の部材６１ａと、この第１の部材６１ａに中間ヒンジ６１ｂを介して連結された第２の部材６１ｃとから構成されている。
【００４２】
この第５の実施例においては、小扉６１の開閉の途中で屈曲状態とすれば、小扉６１の回動スペースを小さくでき、自動販売機自体の設置スペースの縮減に寄与できる。ちなみに図２２には小扉６２が屈曲しない構成の場合を示しており、この場合には回動スペースが大きく、特にキャビネット外側に大きく膨らむ不具合がある。しかしこの第５の実施例では、このようなことを防止できるものである。
【００４３】
なお、本発明は上記各実施例に限定されるものではなく、要旨を逸脱しない範囲内で種々変更して実施できるものであり、例えば本発明の第６の実施例として示す図２０及び図２１のように、被ロック部材３３に補強部材７１を例えば溶接にて固着して、該被ロック部材３３が金鋸等で不正に切断されることを防止するようにしても良い。
【００４４】
【発明の効果】
本発明は以上の説明から明らかなように、次の効果を得ることができる。
請求項１の発明によれば、メイン扉において、コインメック、ビルバリデータ部、ハンドル及びハンドル用錠を含む領域を該メイン扉表側から覆うように金属製の防盗ガードを設けたから、一目して大掛かりな防盗手段が講じられていることを第三者に認識させることができる。この結果、いたずら行為とか破損行為といった不正行為を受ける回数の削減につながる。また、不正行為を受けたとしても、この防盗ガードにより、上記コインメック、ビルバリデータ部、ハンドル及びハンドル用錠を実際に保護でき、破損及び盗難被害を少なくできる。さらにまた、防盗ガードにハンドル及びハンドル用錠部分を開閉し得るように金属製の小扉を設けたから、メイン扉を開閉する場合には、この小扉を開放することにより防盗ガードを取り外すことなく、ハンドル操作ができ、便利である。
【００４５】
請求項２の発明によれば、小扉のロック解除を小扉用錠により行なうから、この小扉を第三者に容易に開放されないようにできて防盗性を高め得る。
請求項３の発明によれば、小扉用錠が、ハンドル用錠と共用される鍵により施錠及び解錠されるようになっているから、便利である。
請求項４の発明によれば、小扉用錠に鍵挿入側の部分に回転可能な錠防護板を設けたから、ドリル等の工具により不正行為があっても小扉用錠の破損を防止できる。
【００４６】
請求項５の発明によれば、防盗ガードに、ハンドル及びハンドル用錠部分を囲繞するように凸条部を形成したから、このハンドル及びハンドル用錠部分を、不正行為から一層確実に防止できる。
請求項６の発明によれば、防盗ガードに、メイン扉ガードを覆う側部ガード部を設けたから、不正行為による破損やメイン扉開放をさらに防止できるものである。
【００４７】
請求項７の発明によれば、小扉を、キャビネット側まで延出するように形成し、ロック機構を、この延出端部及びキャビネットに跨がって設けたから、メイン扉の不正開放を二重に防止できる。
請求項８の発明によれば、ロック機構を、小扉側に被ロック部材を備えると共に、キャビネット側に、該被ロック部材を施錠及び解錠する小扉用錠を備えた構成とし、被ロック部材を、位置調節可能に設けているから、被ロック部材を小扉用錠に対して位置調節ができ、メイン扉の取付け誤差等があっても施錠及び解錠を良好に行ない得るものである。
【００４８】
請求項９の発明によれば、小扉のヒンジ部分に、このヒンジを保護し且つ小扉開放時に該小扉が防盗ガードに当接することを阻止するヒンジガードを取付けたから、小扉のヒンジが破壊されることを有効に防止でき、しかも小扉が防盗ガードに当たって傷付くようなこともなくし得る。
請求項１０の発明によれば、小扉を、屈曲可能な構成としたから、小扉の回動スペースを小さくでき、自動販売機自体の設置スペースの縮減に寄与できる。
【図面の簡単な説明】
【図１】本発明の第１の実施例を示す防盗ガード部分の斜視図
【図２】全体の斜視図
【図３】防盗ガードを取り外した状態での全体の斜視図
【図４】小扉開放状態での該小扉部分の斜視図
【図５】小扉閉塞状態での該小扉部分の縦断側面図
【図６】ロック機構部分の縦断側面図
【図７】小扉用錠部分の下面図
【図８】キーロータとロックピンとの関係を示す斜視図
【図９】本発明の第２の実施例を示す防盗ガード部分の斜視図
【図１０】小扉を取り外して示す斜視図
【図１１】小扉のヒンジ部分の横断平面図
【図１２】ロック機構部分の縦断側面図
【図１３】本発明の第３の実施例を示す図９相当図
【図１４】ロック機構部分の裏側から見た斜視図
【図１５】ロック機構部分の側面図
【図１６】ロック機構部分の横断平面図
【図１７】本発明の第４の実施例を示す図１１相当図
【図１８】防盗ガードの正面図
【図１９】本発明の第５の実施例を示す小扉の平面図
【図２０】本発明の第６の実施例を示すロック機構部分の斜視図
【図２１】横断平面図
【図２２】参考例を示す図１９相当図
【符号の説明】
１はキャビネット、２はメイン扉、１２はハンドル、１３はハンドル用錠、１４は鍵、１５はコインメック、１６はビルバリデータ部、１７は防盗ガード、１９は凸条部、２０は小扉、２１はロック機構、２２は小扉用錠、２３はロック受部、２４は錠ホルダ部、２５は錠本体、２５ａはロータケース、２５ｂはキーロータ、２６は錠防護板、２７はロックピン、２８は側部ガード部、３１は小扉、３１ａはヒンジ、３２はロック機構、３３は被ロック部材、３４は小扉用錠、３５はロック受部、４０は被ロック部材、４２はカバー、４３はねじ棒、４４はナット、５１はヒンジガード、６１は小扉、７１は補強部材を示す。
【図１】
0003728521.tif 000002
【図２】
0003728521.tif 000003
【図３】
0003728521.tif 000004
【図４】
0003728521.tif 000005
【図５】
0003728521.tif 000006
【図６】
0003728521.tif 000007
【図７】
0003728521.tif 000008
【図８】
0003728521.tif 000009
【図９】
0003728521.tif 000010
【図１０】
0003728521.tif 000011
【図１１】
0003728521.tif 000012
【図１２】
0003728521.tif 000013
【図１３】
0003728521.tif 000014
【図１４】
0003728521.tif 000015
【図１５】
0003728521.tif 000016
【図１６】
0003728521.tif 000017
【図１７】
0003728521.tif 000018
【図１８】
0003728521.tif 000019
【図１９】
0003728521.tif 000020
【図２０】
0003728521.tif 000021
【図２１】
0003728521.tif 000022
【図２２】
0003728521.tif 000023